(57)【要約】    【課題】  記録媒体の使用量を削減して低コスト化を実現すると共に、メッセージ文字列の修正漏れを防ぐことができる情報処理装置等を提供する。    【解決手段】  メッセージ文字列を表示する表示制御手段と、ネットワークを経由して外部装置へ送出され、該外部装置上でブラウザソフトウェアによって表示されるメッセージ文字列を含むハイパーテキストを生成する生成手段とを備える。そして、前記生成手段が生成するハイパーテキストを構成するメッセージ文字列と、前記表示制御手段で表示されるメッセージ文字列とを装置内の同一のメモリ空間に配置して、共通に使用する。【選択図】      図１
2005109547.tif 000002
【特許請求の範囲】
【請求項１】
メッセージ情報を表示する表示制御手段と、ネットワークを経由して外部装置へ送出され、該外部装置上で表示されるメッセージ情報を含むテキストを生成するテキスト生成手段とを備え、
前記テキスト生成手段が生成するテキストを構成するメッセージ情報と、前記表示制御手段で表示されるメッセージ情報とを同一のメモリ空間に配置して、共通に使用することを特徴とする情報処理装置。
【請求項２】
前記メモリ空間に配置される前記メッセージ情報は、メッセージＩＤにそれぞれ対応して配置され、
前記テキスト生成手段または前記表示制御手段からメッセージＩＤで要求が行われたとき、該メッセージＩＤに対応した所定のメッセージ情報を前記メモリ空間より読み出して、要求先である前記テキスト生成手段または前記表示制御手段に返信する制御手段を有することを特徴とする請求項１に記載の情報処理装置。
【請求項３】
前記メモリ空間に配置される前記メッセージ情報は、メッセージＩＤにそれぞれ対応して配置され、
前記テキスト生成手段または前記表示制御手段からメッセージＩＤで要求が行われたとき、該メッセージＩＤに対応する所定のメッセージ情報が配置された前記メモリ空間上のアドレスを、要求先である前記テキスト生成手段または前記表示制御手段に返信する制御手段を有することを特徴とする請求項１に記載の情報処理装置。
【請求項４】
メッセージ情報を表示する表示制御手段と、ネットワークを経由して外部装置へ送出され、該外部装置上で表示されるメッセージ情報を含むテキストを生成するテキスト生成手段とを備えた情報処理装置のメッセージ処理方法であって、
前記テキスト生成手段が生成するテキストを構成するメッセージ情報と、前記表示制御手段で表示されるメッセージ情報とを予め同一のメモリ空間に配置しておき、
前記テキスト生成手段から前記メッセージ情報に関する要求が行われたとき、その要求に対応した所定のメッセージ情報を前記メモリ空間より読み出し、該読み出されたメッセージ情報を、要求先である前記テキスト生成手段において前記テキストの生成用に処理し、
前記表示制御手段から前記メッセージ情報に関する要求が行われたとき、その要求に対応した所定のメッセージ情報を前記メモリ空間より読み出し、該読み出されたメッセージ情報を、要求先である前記表示制御手段において表示用に処理することを特徴とする情報処理装置のメッセージ処理方法。
【請求項５】
メッセージ情報を表示する表示制御手段と、ネットワークを経由して外部装置へ送出され、該外部装置上で表示されるメッセージ情報を含むテキストを生成するテキスト生成手段とを備え、前記テキスト生成手段が生成するテキストを構成するメッセージ情報と前記表示制御手段で表示されるメッセージ情報とを同一のメモリ空間に配置した情報処理装置の制御方法を実行するための制御プログラムであって、
前記テキスト生成手段または前記表示制御手段から発行された、前記メッセージ情報に関する要求を受け付けるステップと、
前記ステップで受け付けた要求に対応した所定のメッセージ情報を前記メモリ空間より読み出して、要求先である前記テキスト生成手段または前記表示制御手段に返信するステップとを有することを特徴とする制御プログラム。
【請求項６】
メッセージ情報を表示する表示制御手段と、ネットワークを経由して外部装置へ送出され、該外部装置上で表示されるメッセージ情報を含むテキストを生成するテキスト生成手段とを備え、前記テキスト生成手段が生成するテキストを構成するメッセージ情報と前記表示制御手段で表示されるメッセージ情報とを同一のメモリ空間に配置した情報処理装置の制御方法を実行するための制御プログラムであって、
前記テキスト生成手段または前記表示制御手段から発行された、前記メッセージ情報に関する要求を受け付けるステップと、
前記ステップで受け付けた要求に対応する所定のメッセージ情報が配置された前記メモリ空間上のアドレスを、要求先である前記テキスト生成手段または前記表示制御手段に返信するステップとを有することを特徴とする制御プログラム。
【発明の詳細な説明】
【技術分野】
【０００１】
本発明は、ネットワークに接続可能なファクシミリ装置等の情報処理装置、そのメッセージ処理方法、及び制御プログラムに関する。
【背景技術】
【０００２】
従来のファクシミリ装置では、専ら公衆回線を利用した通信を行うのが一般的であったために、ＬＡＮ（ローカル・エリア・ネットワーク）等のネットワークに接続するためのネットワークインターフェースは装備していなかった。しかし、近年、インターネットファクスの規格の整備や、ネットワークプリンタ機能との複合化などにより、ネットワークインターフェースを備えるファクシミリ装置が登場している（例えば、特許文献１を参照）。
【０００３】
また、ファクシミリ装置にネットワークインターフェースを備えたことにより、パーソナルコンピュータなどの端末からネットワーク経由で、ファクシミリ装置の送受信履歴情報の閲覧や装置情報の登録などの、ファクシミリ装置に対するリモート操作を行う要求が生じている。
【０００４】
このようなリモート操作を行う場合は、ネットワークインターフェース部分にＨＴＴＰ（Ｈｙｐｅｒ  Ｔｅｘｔ  Ｔｒａｎｓｆｅｒ  Ｐｒｏｔｏｃｏｌ）サーバ機能を追加して、そのサーバ機能からファクシミリ装置本体の機能を呼び出す機構が設けられる。そして、利用者は、同じＬＡＮ上に接続された端末のブラウザソフトウェアからファクシミリ装置にアクセスしてリモート操作を行うのが一般的である（例えば、特許文献２を参照）。
【０００５】
上記のネットワークインターフェース部分は、通常装置本体とは別の機能ブロックに配置され、多くはオプションとして取り外し可能な部品として構成される。従って、ＨＴＴＰサーバ機能が作成しＬＡＮ経由で端末に渡す、ブラウザソフトウェアで表示するためのハイパーテキストは、ユーザの操作を促すための種々のメッセージとコマンドで構成されるが、その際に用いるメッセージ文字列は、装置本体の操作表示部で表示するメッセージ文字列とは別に、ネットワークインターフェース部分にあるＨＴＴＰサーバ機能を実現するソフトウェアブロック内に独自に保持されていた。
【特許文献１】特開２００３−１１４７６９号公報
【特許文献２】特開２００３−１３１８５６号公報
【発明の開示】
【発明が解決しようとする課題】
【０００６】
しかしながら上記従来例では、固定的なメッセージ情報を２箇所で保持することになるため、メッセージ文字列を格納するＲＯＭなどの記憶媒体の容量が多く必要になり、コストが増大するという問題があった。さらに、仕様変更等によりメッセージを修正する必要が生じた場合は、その工数が多くなる結果、修正漏れを招く可能性もあった。
【０００７】
そこで、本発明は、記録媒体の使用量を削減して低コスト化を実現すると共に、メッセージ情報の修正漏れを防ぐことができる情報処理装置、そのメッセージ処理方法、及び制御プログラムを提供することを目的とする。
【課題を解決するための手段】
【０００８】
上記目的を達成するために、本発明の情報処理装置では、メッセージ情報を表示する表示制御手段と、ネットワークを経由して外部装置へ送出され、該外部装置上で表示されるメッセージ情報を含むテキストを生成するテキスト生成手段とを備え、前記テキスト生成手段が生成するテキストを構成するメッセージ情報と、前記表示制御手段で表示されるメッセージ情報とを同一のメモリ空間に配置して、共通に使用することを特徴とする。
【０００９】
また、前記メモリ空間に配置される前記メッセージ情報は、メッセージＩＤにそれぞれ対応して配置され、前記テキスト生成手段または前記表示制御手段からメッセージＩＤで要求が行われたとき、該メッセージＩＤに対応した所定のメッセージ情報を前記メモリ空間より読み出して、要求先である前記テキスト生成手段または前記表示制御手段に返信する制御手段を有することを特徴とする。
【００１０】
さらに、前記メモリ空間に配置される前記メッセージ情報は、メッセージＩＤにそれぞれ対応して配置され、前記テキスト生成手段または前記表示制御手段からメッセージＩＤで要求が行われたとき、該メッセージＩＤに対応する所定のメッセージ情報が配置された前記メモリ空間上のアドレスを、要求先である前記テキスト生成手段または前記表示制御手段に返信する制御手段を有することを特徴とする。
【００１１】
また、本発明の情報処理装置のメッセージ処理方法では、メッセージ情報を表示する表示制御手段と、ネットワークを経由して外部装置へ送出され、該外部装置上で表示されるメッセージ情報を含むテキストを生成するテキスト生成手段とを備えた情報処理装置のメッセージ処理方法であって、前記テキスト生成手段が生成するテキストを構成するメッセージ情報と、前記表示制御手段で表示されるメッセージ情報とを予め同一のメモリ空間に配置しておき、前記テキスト生成手段から前記メッセージ情報に関する要求が行われたとき、その要求に対応した所定のメッセージ情報を前記メモリ空間より読み出し、該読み出されたメッセージ情報を、要求先である前記テキスト生成手段において前記テキストの生成用に処理し、前記表示制御手段から前記メッセージ情報に関する要求が行われたとき、その要求に対応した所定のメッセージ情報を前記メモリ空間より読み出し、該読み出されたメッセージ情報を、要求先である前記表示制御手段において表示用に処理することを特徴とする。
【００１２】
さらに、本発明の制御プログラムでは、メッセージ情報を表示する表示制御手段と、ネットワークを経由して外部装置へ送出され、該外部装置上で表示されるメッセージ情報を含むテキストを生成するテキスト生成手段とを備え、前記テキスト生成手段が生成するテキストを構成するメッセージ情報と前記表示制御手段で表示されるメッセージ情報とを同一のメモリ空間に配置した情報処理装置の制御方法を実行するための制御プログラムであって、前記テキスト生成手段または前記表示制御手段から発行された、前記メッセージ情報に関する要求を受け付けるステップと、前記ステップで受け付けた要求に対応した所定のメッセージ情報を前記メモリ空間より読み出して、要求先である前記テキスト生成手段または前記表示制御手段に返信するステップとを有することを特徴とする。
【００１３】
また、本発明の制御プログラムでは、メッセージ情報を表示する表示制御手段と、ネットワークを経由して外部装置へ送出され、該外部装置上で表示されるメッセージ情報を含むテキストを生成するテキスト生成手段とを備え、前記テキスト生成手段が生成するテキストを構成するメッセージ情報と前記表示制御手段で表示されるメッセージ情報とを同一のメモリ空間に配置した情報処理装置の制御方法を実行するための制御プログラムであって、前記テキスト生成手段または前記表示制御手段から発行された、前記メッセージ情報に関する要求を受け付けるステップと、前記ステップで受け付けた要求に対応する所定のメッセージ情報が配置された前記メモリ空間上のアドレスを、要求先である前記テキスト生成手段または前記表示制御手段に返信するステップとを有することを特徴とする。
【発明の効果】
【００１４】
本発明によれば、メッセージ情報を格納する記憶媒体の容量を削減して、低コスト化を実現することができ、さらには、メッセージ情報の修正漏れも防ぐことができる。
【発明を実施するための最良の形態】
【００１５】
本発明の情報処理装置、そのメッセージ処理方法、及び制御プログラムの実施の形態について、図面を参照しながら説明する。本実施形態の情報処理装置は、ファクシミリ装置に適用される。ここでは、ファクシミリ装置について説明するが、これに限らず複写装置、プリンタ装置、スキャナ装置、それらの複合機であってもよい。
【００１６】
［第１実施形態］
＜装置の概略構成＞
図１は、本発明の第１実施形態に係る情報処理装置であるファクシミリ装置の概略構成を示すブロック図であり、本実施形態の一例としてファクシミリ装置が、ネットワークに接続された状態を表している。
【００１７】
本実施形態のファクシミリ装置８は、大きく分けて、ＨＴＴＰサーバ部１１を有しＬＡＮ等のネットワーク６とのインターフェースを司るネットワークインターフェース（ＮＩＣ）１と、プリンタを制御して入力画像情報のプリント動作を行うプリンタ制御部２と、装置全体の動作を制御する本体制御部３と、操作部及び表示部を有しその動作を制御する操作表示制御部４と、ファクシミリ通信動作を制御するＦＡＸ制御部５とから構成されている。
【００１８】
そして、ネットワーク６には、パーソナルコンピュータ（ＰＣ）等の端末７が複数台接続可能であり、ネットワーク６経由で端末７からファクシミリ装置８のリモート操作が可能に構成されている。すなわち、ＨＴＴＰサーバ部１１からファクシミリ装置８の機能を呼び出すことができるように構成されており、ファクシミリ装置８から離れた利用者の端末７上で稼動するブラウザソフトウェアから、ファクシミリ装置８のネットワークアドレスをＨＴＴＰサーバとして指定し、ファクシミリ装置８にアクセスすることによりリモート操作を可能にする。
【００１９】
ＨＴＴＰサーバ部１１は、端末７のブラウザソフトウェアで表示するためのハイパーテキストを作成してネットワーク６経由で端末７に渡す機能を有する。ハイパーテキストは、ユーザの操作を促すための種々のメッセージとコマンドで構成されるが、その際に用いるメッセージ文字列は、本体制御部３内のメモリ空間に保持されている。
【００２０】
一方、ＦＡＸ制御部５は、公衆回線９に接続され、他のファクシミリ装置１０等と通常のファクシミリ手順で送受信が可能となっている。ファクシミリ装置８を直接操作する利用者は、操作表示制御部４の表示部に表示されるメッセージを見ながら操作を行う。この際に表示されるメッセージ文字列は、本体制御部３内のメモリ空間に保持され、前記ハイパーテキストに使用するメッセージ文字列と同一のものである。すなわち、ＨＴＴＰサーバ部１１が生成するハイパーテキストに使用するメッセージ文字列と、本体操作表示制御部４で使用するメッセージ文字列は、本体制御部３内の同一のメモリ空間上に配置した文字列（共通メッセージ文字列ＭＥ）を共通に使用するようになっている。
【００２１】
＜共通メッセージ文字列等の格納形式＞
図２（ａ），（ｂ）は、本体制御部３内のメモリ空間上に配置された共通メッセージ文字列ＭＥとプログラムの格納形式を示す図であり、同図（ａ）は、共通メッセージ文字列の格納形式を示し、同図（ｂ）は、各制御部を動作させるプログラムの格納形式を示している。
【００２２】
本体制御部３内に保持されている共通メッセージ文字列ＭＥは、本体制御部３内の１つのＣＰＵでアクセス可能な同一のメモリ空間上（ＲＯＭ等）に配置され、メッセージＩＤを基に実際の配置アドレスを得ることにより、読み出すことができるようになっている。
【００２３】
なお、共通メッセージ文字列ＭＥは、１つのＣＰＵでアクセス可能な同一のメモリ空間上に配置されているのであれば、まとめて１つのメモリに記憶して共通に使用してもよいし、異なるメモリに分けて記憶して共通に使用することも可能である。
【００２４】
図２（ａ）の例では、共通メッセージ文字列“ファクシミリ送信履歴”は、メッセージＩＤ「１００１」に対応して、メモリアドレス「０ｘ１００００００」に配置されている。同様に、共通メッセージ文字列“ファクシミリ受信履歴”は、メッセージＩＤ「１００２」に対応して、メモリアドレス「０ｘ１００００２０」に配置され、共通メッセージ文字列“相手先名称”は、メッセージＩＤ「１００４」に対応して、メモリアドレス「０ｘ１００００２０」に配置され、共通メッセージ文字列“相手先電話番号”は、メッセージＩＤ「１００５」に対応して、メモリアドレス「０ｘ１００００５０」に配置されている。
【００２５】
また、本ファクシミリ装置８に装備された、本体制御部３、操作表示制御部４及びＮＩＣ１等の各制御部を動作させるプログラムも前記メモリ空間上（ＲＯＭ等）に配置されている。図２（ｂ）の例では、本体制御部３を動作させるプログラムはメモリアドレス「０ｘ２００００００」に配置され、操作表示制御部４を動作させるプログラムはメモリアドレス「０ｘ３００００００」に配置され、また、ＮＩＣ１を動作させるプログラムはメモリアドレス「０ｘ４００００００」に配置されている。
【００２６】
＜第１実施形態の動作＞
図３は、第１実施形態の特徴的な動作であるメッセージ処理動作を示すフローチャートであり、このメッセージ処理動作は本体制御部３によって実行される。
【００２７】
まず本体制御部３は、操作表示制御部４からメッセージＩＤで示される表示メッセージの要求が来ると（ステップＳ３１）、当該メッセージＩＤを調べ、そのメッセージＩＤを基に、本体制御部３のメモリ空間上に保持している共通メッセージ文字列ＭＥを読み出して、操作表示制御部４へ返す（ステップＳ３２）。
【００２８】
また、ネットワーク６経由でのリモート操作により、ＮＩＣ１のＨＴＴＰサーバ部１１からメッセージＩＤで示される表示メッセージの要求が来た場合も、全く同様の処理を行う。
【００２９】
このように、操作表示制御部４で表示する本体表示用のメッセージ文字列と、ＨＴＴＰサーバ部１１で作成するハイパーテキスト用のメッセージ文字列は、共通に使用される。
【００３０】
そして、操作表示制御部４が要求して読み出されたメッセージ文字列は、装置本体８の表示部に表示するために使用され、ＨＴＴＰサーバ部１１が要求して読み出されたメッセージ文字列は、端末７へ送るハイパーテキストの作成に使用される。
【００３１】
次に、本実施形態に係るネットワーク６経由でのリモート操作の動作について、図４を用いて詳細に説明する。
【００３２】
図４は、ネットワーク６経由でのリモート操作の動作を示すシーケンス図であり、端末７とＮＩＣ１と本体制御部３の動作を時系列的に示したものである。
【００３３】
まず本体の電源を投入すると、ＮＩＣ１と本体制御部３は連動して初期化を行う（Ｎ１，Ｈ１）。その後、本体制御部３からＮＩＣ１へ機種判別に必要な情報を渡す（Ｕ１）。ＮＩＣ１はその情報を保存し、機種に応じたコンテンツ作成の準備を行う（Ｎ２）。
【００３４】
端末７の利用者がブラウザを起動しＮＩＣ１の持つアドレスを指定すると（Ｔ１）、ネットワーク６経由でサービス要求がＮＩＣ１に到達する（Ｌ１）。ＮＩＣ１は、製品の外観図やファクシミリの送受信結果情報など、コンテンツを生成するのに必要な情報と、メッセージ文字列を本体制御部３に要求する（Ｕ２）。
【００３５】
本体制御部３は、要求された情報のうちメッセージ文字列については、要求に含まれているメッセージＩＤを調べ、そのメッセージＩＤを基に、本体制御部３で保持している共通メッセージ文字列ＭＥ（操作表示制御部４で使用するものと同じ内容の文字列）を読み出して渡す（Ｕ３）。ＮＩＣ１は、それらの情報を基にコンテンツを生成する（Ｎ３）。具体的には、ＣＧＩ（Ｃｏｍｍｏｎ  Ｇａｔｅｗａｙ  Ｉｎｔｅｒｆａｃｅ）の呼び出しや、ＳＳＩ（Ｓｅｒｖｅｒ  Ｓｉｄｅ  Ｉｎｃｌｕｄｅ）のほか、受け取ったメッセージ文字列を埋め込んだ、ｈｔｍｌもしくはｓｈｔｍｌファイル等を作成する。
【００３６】
その後、ＮＩＣ１はサービスの応答として、端末７上のブラウザで表示すべきファイル情報を返し（Ｌ２）、これによって利用者は、ファクシミリ装置８の情報をブラウザで閲覧することが可能となる。
【００３７】
利用者が、ファクシミリ装置８の情報の書き換えや、実行中の処理の停止などのリモート操作を行う場合は、コンテンツの内容に応じてブラウザ上で処理を選択する（Ｔ２）。その情報がネットワーク６経由でＮＩＣ１に到達すると（Ｌ３）、ＮＩＣ１は予め決められた処理をＣＧＩやＳＳＩを利用して実行し、本体制御部３へ操作要求を発行する（Ｕ４）。本体制御部３において要求された処理が成功すると（Ｈ２）、応答を返し（Ｕ５）、ＮＩＣ１はそれに応じて表示すべき画面を切り替え（Ｎ４）、表示情報を返送する（Ｌ４）。
【００３８】
以後、同様の繰り返しによって、ファクシミリ装置８に関する情報の表示、及びファクシミリ装置８のリモート操作を繰り返すことができる。
【００３９】
このように本実施形態では、ハイパーテキストを構成するためのメッセージ文字列を、装置本体８の操作表示制御部４で用いるメッセージ文字列と共通にするようにしたので、メッセージ文字列を格納するＲＯＭなどの記憶媒体の容量を削減することができる。さらに、メッセージ修正時の修正漏れ等により、ハイパーテキストで使用するメッセージ文字列と、装置本体８の操作表示制御部４で用いるメッセージ文字列とにおいて、内容の不一致も防ぐこともできる。
【００４０】
［第２実施形態］
上記の第１実施形態では、要求されたメッセージ文字列について、要求に含まれているメッセージＩＤを調べ、そのメッセージＩＤを基に、本体制御部３のメモリ空間上に保持している共通メッセージ文字列ＭＥを読み出して渡すようにした。
【００４１】
これに対して第２実施形態では、図５のフローチャートに示すように、本体制御部３は、操作表示制御部４からメッセージＩＤで示される表示メッセージの要求を受け付けると（ステップＳ４１）、要求に含まれているメッセージＩＤを調べ、そのメッセージＩＤに対応するメッセージ文字列が配置された前記メモリ空間上のアドレスのみを要求先へ返す（ステップＳ４２）。そして、要求先である操作表示制御部４が、受け取ったアドレスを基に、本体制御部３のメモリ空間上に保持されているメッセージ文字列を読み出すようにする。
【００４２】
また、ネットワーク経由でのリモート操作により、ＮＩＣ１のＨＴＴＰサーバ部１１からメッセージＩＤで示される表示メッセージの要求を受け付けた場合も、全く同様の処理を行う。
【００４３】
このように本実施形態でも、操作表示制御部４で表示する本体表示用のメッセージ文字列と、ＨＴＴＰサーバ部１１で作成するハイパーテキスト用のメッセージ文字列は、共通に使用される。
【００４４】
このように処理することにより、上記第１実施形態の処理に比べて本体制御部３の負荷を軽減することができる。
【００４５】
なお、上述した図３及び図５のフローチャートに従ったプログラムを本体制御部３内の記憶装置に格納し動作することにより、上述の制御方法を実現させることが可能となる。
【００４６】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００４７】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００４８】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【００４９】
【図１】本発明の第１実施形態に係る情報処理装置であるファクシミリ装置の概略構成を示すブロック図である。
【図２】本体制御部３内のメモリ空間上に配置された共通メッセージ文字列とプログラムの格納形式を示す図である。
【図３】第１実施形態の特徴的な動作であるメッセージ処理動作を示すフローチャートである。
【図４】ネットワーク経由でのリモート操作の動作を示すシーケンス図である。
【図５】第２実施形態の特徴的な動作であるメッセージ処理動作を示すフローチャートである。
【符号の説明】
【００５０】
１  ネットワークインターフェース（ＮＩＣ）
２  プリンタ制御部
３  本体制御部
４  操作表示制御部
５  ＦＡＸ制御部
６  ネットワーク
８  ファクシミリ装置
１１  ＨＴＴＰサーバ部
【図１】
2005109547.tif 000003
【図２】
2005109547.tif 000004
【図３】
2005109547.tif 000005
【図４】
2005109547.tif 000006
【図５】
2005109547.tif 000007